(57)【要約】【課題】スーパーボールとしての特性を生かした新規な装飾と弾み性の面白みとを兼ね備えたスーパーボールの提供を目的とする。【解決手段】ポリブタジエン樹脂で形成された中実ボール１の表面全体に、略半球状の突起２を多数突設する。成型用金型Ｑにおける充填孔Ｑ１の位置と、該位置の反対側面とに頂部突起２Ａを設ける。成型用金型Ｑにおける接合部分に接合突起２Ｂを等間隔に配設する。頂部突起２Ａと接合突起２Ｂとの間に、頂部突起２Ａを中心とする放射突起２Ｃを放射状に設ける。【選択図】図１
0003105521.tif 000002
【実用新案登録請求の範囲】
【請求項１】
ポリブタジエン樹脂で形成された弾み性に富む中実ボールにおいて、中実ボールの表面全体に、略半球状の突起を多数突設したことを特徴とする弾み性に富む中実ボール。
【請求項２】
前記突起は、成型用金型における充填孔の位置と、該位置の反対側面とに設けられた一対の頂部突起と、成型用金型における接合部分に等間隔に配設された複数の接合突起と、これら頂部突起と接合突起との間に、頂部突起を中心として放射状に配された放射突起とから成る請求項１記載の弾み性に富む中実ボール。
【請求項３】
前記突起は、直径18〜80mmの中実ボールに対して3〜12mmの直径に形成された請求項１又は２記載の弾み性に富む中実ボール。
【請求項４】
前記中実ボールは、透明又は半透明のポリブタジエン樹脂で形成された請求項１乃至３いずれか記載の弾み性に富む中実ボール。
【考案の詳細な説明】
【技術分野】
【０００１】
本考案は、弾性材料であるポリブタジエン樹脂等の合成ゴムを素材として形成された、所謂、玩具用のスーパーボールと称される弾み性に富む中実ボールに関する。
【背景技術】
【０００２】
従来この種の中実ボール（以下、スーパーボールと称する）は、成形加工上の制約や、製造コスト上の規制から、単色で成型されるものが多い。そこで、この単色のボールに色彩を施す手段として、ボールの表面に色彩模様を塗布する手段や、ボール表面を刻設した凹所に異色のボール材料を充填固化させたりする手段がとられていたが、いずれも、色彩模様の永続性に欠けたり、あるいは、ボール表面の凹凸が不連続になるなどの不都合が生じていた。そこで、当考案者は、先に、特許文献1若しくは特許文献２に記載の弾み性に富む中実ボール及びその製造方法の発明を提案している。これらの発明により、永続性に優れた色彩パターンを創出することが可能になるなど、所謂スーパーボールの既成概念を大きく変えることができた。
【０００３】
当考案者による特許文献1及び特許文献２の発明により、色彩模様が自由になると、更に新しい装飾が期待されるようになった。例えば、スーパーボールの表面に任意の凹凸を形成する方法などが特許文献３に記載されている。この方法は、スーパーボールの一部に凹みを形成し、この凹みに絵柄や色彩を施す方法である。
【０００４】
また、当考案者は、特許文献４に記載の如く、弾み性に富むボールとしての特性を生かした全く新しい装飾ができるスーパーボールを提供している。この特許文献４には、ポリブタジエン樹脂で形成された弾み性に富む中実ボールにおいて、ボールの表面全体に複数条の突条を設けたスーパーボールが記載されている。
【特許文献１】特公昭５８−１３１８９号公報
【特許文献２】特公平５−１９４２９号公報
【特許文献３】特開平１１−１４６９２９号公報
【特許文献４】実用新案登録第３０８２８４８号公報
【考案の開示】
【考案が解決しようとする課題】
【０００５】
ところが、特許文献３の如く、ボールの一部に凹みを形成し、この凹みに絵柄や色彩を施す手段では、製造工程が増加するのでコスト高になる。また、凹凸がボールの一部に形成されていると、ボールの弾性が減少するので弾み性に富むボールとしての面白みが半減する不都合も生じる。
【０００６】
また、特許文献４により、極めて装飾効果に富んだスーパーボールを提供することに成功したことにより、スーパーボールの装飾に新たな可能性が認められるようになった。この結果、更に新規な装飾のみならず、弾み性に面白みを有するスーパーボールの提供が望まれていたものである。
【０００７】
そこで、本考案は上述の課題を解消すべく案出されたもので、弾み性の面白みと新しい装飾とを兼ね備えた弾み性に富む中実ボールの提供を目的とするものである。
【課題を解決するための手段】
【０００８】
上述の目的を達成すべく本考案の第１の手段は、ポリブタジエン樹脂で形成された弾み性に富む中実ボール１において、中実ボール１の表面全体に、略半球状の突起２を多数突設したことにある。
【０００９】
第２の手段における突起２は、成型用金型Ｑにおける充填孔Ｑ１の位置と、該位置の反対側面とに設けられた一対の頂部突起２Ａと、成型用金型Ｑにおける接合部分に等間隔に配設された複数の接合突起２Ｂと、これら頂部突起２Ａと接合突起２Ｂとの間に、頂部突起２Ａを中心として放射状に配された放射突起２Ｃとから成る。
【００１０】
第３の手段は、直径18〜80mmの中実ボール１に対して、突起２を3〜12mmの直径に形成する。
【００１１】
第４の手段における中実ボール１は、透明又は半透明のポリブタジエン樹脂で形成されたことを課題解消のための手段とする。
【考案の効果】
【００１２】
ポリブタジエン樹脂で形成された弾み性に富む中実ボール１において、中実ボール１の表面全体に、略半球状の突起２を多数突設したことにより、この突起２がポリブタジエン樹脂の性質から、透明又は半透明な突条２になる。この透明又は半透明な突起２が光を反射してあたかも宝石のような装飾作用を奏するものである。この結果、これまでのスーパーボールには、全くないタイプの新しい装飾を施すことができた。
【００１３】
この突起２は、成型用金型Ｑにおける充填孔Ｑ１の位置と、該位置の反対側面とに設けられた一対の頂部突起２Ａと、成型用金型Ｑにおける接合部分に等間隔に配設された複数の接合突起２Ｂと、これら頂部突起２Ａと接合突起２Ｂとの間に、頂部突起２Ａを中心として放射状に配された放射突起２Ｃとから成るので、多数の突起２を中実ボール１全体にバランス良く配置することができる。
【００１４】
しかも、頂部突起２Ａを中心として放射突起２Ｃを放射状に配することで、各突起２を通過する光を最も効果的に反射せしめることが可能になり、あたかもダイヤモンドの如く光を集めることができる。また、成型用型Ｑへの加工が容易になり、既成の成型用金型Ｑを利用して安価な提供も可能になる。
【００１５】
突起２は、直径18〜80mmの中実ボール１に対して3〜12mmの直径に形成されたことで、中実ボール１の直径に比例した突起２を形成可能となる。また、突起２の直径をこの範囲に設定することで、無回転の中実ボール１をある程度まで一定の方向へ弾ませることもできる。また一方で、中実ボール１に与える回転により、意外な動きも現出可能になり、スーパーボールとしての特性を生かした従来にない遊びが可能になる。
【００１６】
更に、ボール１を、透明又は半透明のポリブタジエン樹脂で形成することで、ボール１全体を利用した透明感のある反射効果を奏するものになり、宝石のような装飾効果を強調することができる。
【００１７】
このように本考案によると、弾み性に富むボールとしての特性を生かした全く新しい装飾や遊びが可能になるなどといった種々の効果を奏するものである。
【考案を実施するための最良の形態】
【００１８】
本考案の最良の形態は、透明又は半透明のポリブタジエン樹脂で中実ボール１を形成し、この中実ボール１の表面全体に、略半球状の突起２を多数突設する。成型用金型Ｑにおける充填孔Ｑ１の位置と、該位置の反対側面とに一対の頂部突起２Ａを設ける。成型用金型Ｑにおける接合部分に複数の接合突起２Ｂを等間隔に配設する。これら頂部突起２Ａと接合突起２Ｂとの間に、頂部突起２Ａを中心として放射突起２Ｃを放射状に配することにより、当初の目的を達成するものである。
【実施例】
【００１９】
本考案ボールは、ポリブタジエン樹脂で形成された弾み性に富む中実ボール１である（図１参照）。ポリブタジエン樹脂は、主に透明用、半透明用の樹脂を用いるが、着色用の樹脂を使用してもよい。成型方法は、従来通り、一対の成型用金型Ｑを接合し、充填孔Ｑ１からポリブタジエン樹脂を圧入して硬化させるものである（図４参照）。
【００２０】
このように、成型した中実ボール１の表面全体に多数の突起２を設けてある。この突起２は、頂部突起２Ａ、接合突起２Ｂ、放射突起２Ｃから成る（図１、図４参照）。
【００２１】
頂部突起２Ａは、成型用金型Ｑにおける充填孔Ｑ１の位置と反対の位置とに設けた一対の突起２で、この頂部突起２Ａの一方の頂部に充填孔Ｑ１を設置してポリブタジエン樹脂を圧入する（図４参照）。
【００２２】
接合突起２Ｂは、成型用金型Ｑにおける接合部分に等間隔に配設された複数の突起である。この接合突起２Ｂは、成型用金型Ｑの接合部分において二分される（図４参照）。このため、接合突起２Ｂは、他の突起２に比べて若干、反射効率が落ちるおそれがある。そこで、前記頂部突起２Ａの周囲に放射突起２Ｃを設けている（図１参照）。
【００２３】
この放射突起２Ｃは、頂部突起２Ａと接合突起２Ｂとの間に、頂部突起２Ａを中心として、頂部突起２Ａを囲むように放射状に配された突起である。このように放射突起２Ｃを設けることで、頂部突起２Ａを配した両面に、最も効果的な反射効果が生じ、接合突起２Ｂで生じる若干の反射効率減少を補うことができる。図示例では、各頂部突起２Ａに対して二重の放射突起２Ｃを設けているが、中実ボール１のサイズにより、何重に設けてもよい。
【００２４】
本考案の中実ボール１は、直径18〜80mm程度のものを使用する。そして、この中実ボール１に対して突起２の直径は3〜12mm程度に形成する。突起２の直径が3mm以下になると、中実ボール１に対する突起２が小さくなり、有効な反射が少なくなる。一方、突起２の直径が12mmを超えると、突起２の数が少なくなると共に、大きくなった突起２が妨げになり、中実ボール１が無回転でも一定の方向へ弾ませることは困難になる。この結果、中実ボール１の弾み方向があまりにも不確定になり過ぎる不都合が生じる。
【００２５】
中実ボール１を透明又は半透明のポリブタジエン樹脂で成形した場合、突起２も透明樹脂又は半透明になり、前記突起２の直径は最も効果的に反射するものである。
【００２６】
尚、本考案の実施例は図示例に限られるものではなく、本考案の要旨を変更しない範囲でのデザインの変更などは任意に行えるものである。
【図面の簡単な説明】
【００２７】
【図１】本考案の一実施例を示す正面図である。
【図２】図１に示す矢視II−II線断面図である。
【図３】図１に示す矢視III−III線断面図である。
【図４】本考案を成型する成型用金型を示す断面図である。
【符号の説明】
【００２８】
Ｑ  成型用金型    Ｑ１  充填孔
１  中実ボール
２  突起        ２Ａ  頂部突起
２Ｂ  接合突起
２Ｃ  放射突起
【図１】
0003105521.tif 000003
【図２】
0003105521.tif 000004
【図３】
0003105521.tif 000005
【図４】
0003105521.tif 000006